【事件の表示】
　特願２０１４−　３５０８０「遊技機」拒絶査定不服審判事件〔平成２７年　９月　７日出願公開、特開２０１５−１５９８５２〕について、次のとおり審決する。
【結　論】
　本件審判の請求は、成り立たない。
【理　由】
第１　手続の経緯  
　本願は、平成２６年２月２６日の出願であって、平成２７年５月１３日付けで拒絶の理由が通知され、平成２７年７月１５日に意見書及び手続補正書が提出されたところ、同年１１月２日付けで拒絶査定がなされ、それに対して、平成２８年１月８日に拒絶査定不服審判の請求がなされると同時に明細書及び特許請求の範囲に係る手続補正がなされたものである。
　
第２　平成２８年１月８日付けの手続補正についての補正却下の決定  
［補正却下の決定の結論］  
　平成２８年１月８日付けの手続補正（以下「本件補正」という。）を却下する。 　
［理由］  
１　補正の内容
　本件補正は、特許請求の範囲を補正する内容を含んでおり、本件補正により、特許請求の範囲の請求項１は、
「【請求項１】
　外枠と、当該外枠に前後方向に回動可能に支持される中枠と、当該中枠に組み付けられる遊技盤と、前記外枠に前記遊技盤をその前側から覆うように前後方向に回動可能に支持される前扉とを備える遊技機において、
　前記中枠の裏側に設けられる長手状通路部材及び当該長手状通路部材の内部にその軸方向に沿い収容されて前記長手状通路部材の下端開口部に供給される遊技球を揚送して前記長手状通路部材の上端開口部から排出する揚送部材からなる揚送装置と、
　前記遊技盤の上側にて前記中枠の上部に設けられる球発射装置本体と当該球発射装置本体から遊技球を発射させるにあたり操作されるように前記中枠の下部に設けられる操作ハンドルとを有して、前記揚送装置の前記長手状通路部材の前記上端開口部から排出される遊技球を前記遊技盤の盤面に設けた遊技領域に向けて前記操作ハンドルの操作に伴い発射する球発射装置とを備えて、
　前記揚送装置の前記揚送部材は、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを具備しており、
　前記揚送装置は、前記螺旋体の遊技球導入部における遊技球の前記揚送速度を抑制するように構成されていることを特徴とする遊技機。」
から、
「【請求項１】
Ａ　外枠と、当該外枠に前後方向に回動可能に支持される中枠と、当該中枠に組み付けられる遊技盤と、前記外枠に前記遊技盤をその前側から覆うように前後方向に回動可能に支持される前扉とを備える遊技機において
、
Ｂ　
前記中枠に球発射装置と共に設けられる揚送装置を備えており、
Ｃ　
当該揚送装置は、
Ｃ１　前記中枠の裏側に設けられる長手状通路部
材と、
Ｃ２　当該長手状通路部材の内部にその軸方向に沿い収容されて前記長手状通路部材の下端開口部に供給される遊技球を揚送して前記長手状通路部材の上端開口部から排出する揚送部
材であって、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを有する揚送部材とを具備しており、
Ｄ　
前記球発射装置は、
Ｄ１　
前
と、
Ｄ２　
当
Ｅ　前記揚送装置の前記長手状通路部材の前記上端開口部から排出される遊技球を前記遊技盤の盤面に設けた遊技領域に向けて前記操作ハンドルの操作に伴い発射す
るようになっており、
Ｆ　
前
る封入式
に補正された（下線は、補正箇所を明示するために当審で付したものである。また、当審において請求項１をＡ〜Ｆに分説した。）。
　
２　補正の適否について
　上記補正は、補正前の請求項１に記載した発明を特定するために必要な事項である「揚送装置」に関して、「前記中枠に球発射装置と共に設けられる揚送装置を備えており」という点を限定するとともに、「からなる揚送装置と」から「当該揚送装置は、」「とを具備しており、」と補正し、「球発射装置」に関して、「する球発射装置」から「前記球発射装置は、」「するようになっており、」と補正し、「遊技機」に関して「封入式遊技機」と限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、新規事項を追加するものではない。
　
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献２として引用された特開２００４−１４１３９０号公報（以下「刊行物１」という。）には、図面とともに以下の事項が記載されている（下線は審決で付した。以下同じ。）。  
（１−ａ）「【０００１】
【発明の属する技術の分野】
本発明は、遊技盤の盤面上に形成された遊技領域内に、弾球遊技機の上部側方位置から遊技球を打ち出して遊技を行う弾球遊技機に関する。」
（１−ｂ）「【００１７】
本実施例の弾球遊技機であるパチンコ機２を図に基づいて説明すると、該
パチンコ機２は、
遊技機枠としての前面扉枠２００と、該前面扉枠２００の前面側に開閉自在に枢支され、中央にガラス板が設けられたガラス扉枠２０２と、前面扉枠２００を開閉自在に枢支する基枠２０１と、からなる
打球操作ハンドル（以下、操作ノブという）２０５
　・・・
【００１９】
次いで、前記ガラス扉枠２０２の内方には、図３に示すように、
前面扉枠２００に遊技盤２０６が着脱可能に取付けられているとともに、前面扉枠２００の前面における遊技盤２０６の向かって左側方上部位置には、該遊技盤２０６に向けてパチンコ球を発射するための発射装置５００と前記打球供給皿２０３に貯留されているパチンコ球を該発射装置５００に揚送するための揚送ユニット４００（揚送装置）とが、前面扉枠２００に対して着脱可能に設けられ
【００２０】
打球供給皿２０３に貯留されているパチンコ球は、誘導傾斜樋流入口２３０（図４参照）から流出して誘導傾斜樋２８３を流下し、前記クランク流路４１６並びに連結流路４１５を通過して揚送ユニット４００の下端位置に設けられている下部ユニット４０１に供給され、該揚送ユニット４００にて発射装置５００に揚送、供給されて前記遊技盤２０６の前面に形成された遊技領域２０７に打ち出されるようになっており（図１７参照）、本実施例では、前記ガラス扉枠２０２の開放により、前記クランク流路４１６と連結流路４１５との間にて、流路が分離されるようになっている。」
（１−ｃ）「【００４２】
次に、揚送経路ユニット４０６に関して説明すると、図１２（ａ）並びに図１２（ｂ）に示すように、
揚送路ケース４０２は、上下端が開口する筒状に形成されている
に、供給されたパチンコ球が揚送される球通路部４０４と、前記揚送スクリュー４０３が挿通配置されるスクリュー収容部４０５とが内部に形成されており、揚送スクリュー４０３の螺旋状凸部の外周４０３ａが前記球通路部４０４に露出して揚送されるパチンコ球と摺接するように軸支されており、揚送スクリュー４０３の回転に伴ってパチンコ球が球通路部４０４の内部を上方へと揚送されていく
　・・・
【００４５】
蓋部材４３４の裏面には、揚送路ケース４０２の内部に嵌合して取り付け時における位置決め手段となるリブ４３８が下方に向けて形成されているとともに、その略中央部には、内面に雌ねじ部が形成された筒状の軸支部４３９が下方に向けて形成されている。この軸支部４３９内には、前記軸支部４３９内に形成された雌ねじ部に螺合する雄ねじ部が外周部に形成されるとともに、揚送スクリュー４０３の軸部４０３ｂの上端に固着されたベアリング４４０が内部に圧入される筒状部材４４１が螺入される。すなわち、
揚送スクリュー４０３の軸部４０３ｂの上端は蓋部材４３４により回動自在に支持される
　・・・
【００４７】
また、
揚送路ケース４０２は、
前面扉枠２００の前面に取り付けられて、
（１−ｄ）「【０１３３】
打玉を発射する打球発射装置５００並びに該打球発射装置５００に打玉を供給する
揚送ユニット４００は、
前記打球発射装置５００の発射に連動して、前記揚送ユニット４００が間歇的にパチンコ球を揚送して打球発射装置５００に揚送球を供給するように制御される。
【０１３４】
この際、前記操作ノブ２０５により連続した発射操作が為されている場合には、前記揚送ユニット４００の駆動モータ４１０は、連続するパチンコ球の揚送において、回転速度を変化させることなく、ほぼ同一の回転速度にて、球供給スプロケット４１３から間歇的に供給されるパチンコ球を揚送するようになっており、このようにすることは、連続するパチンコ球の揚送において、駆動モータ４１０の回転速度を変化させて打球発射装置５００へのパチンコ球の供給同期を計る場合に比較して、加減速に伴う駆動モータ４１０の損耗を低減できるとともに、揚送球が球通路部４０４内にて踊ることによる不都合や該揚送球が踊ることによる騒音の発生を解消できることから好ましいが、本発明はこれに限定されるものではなく、回転速度を変化させて打球発射装置５００への供給同期を計るようにしても良い。
【０１３５】
そして、発射
装置５００による発射球の発射勢いは、
操作ノブ２０５の操作量に応じた速度で打球が発射される
（１−ｅ）段落【００１７】、【００１９】の記載から、
パチンコ機２は、基枠２０１と、基枠２０１に開閉自在に枢支される前面扉枠２００と、当該前面扉枠２００に着脱可能に取り付けられる遊技盤２０６と、前面扉枠２００の前面側に開閉自在に枢支されるガラス扉枠２０２とを備え
（１−ｆ）段落【００１９】の記載から、
前面扉枠２００に対して発射装置５００と揚送ユニット４００とが着脱可能に設けられて
（１−ｇ）段落【００４７】の記載から、
揚送路ケース４０２は、前面扉枠２００の前面に取り付けられている
（１−ｈ）段落【００４２】には、揚送路ケース４０２、揚送スクリュー４０３、及び螺旋状凹部の外周４０３ａについて記載されており、スクリュー収容部４０５は、揚送路ケース４０２の内部に形成されるものであるから、揚送スクリュー４０３は、揚送路ケース４０２の内部に挿通配置されるといえる。
　また、【００４５】には、揚送スクリューの軸部４０３ｂについて記載されており、そして、図１２、１３、１７には、パチンコ球が揚送路ケース４０２の内部を下端の開口から上端の開口へと揚送される点が示されている。
　以上のことから、
揚送ユニット４００は、前記前面扉枠２００の前面に取り付けられる揚送路ケース４０２と、揚送路ケース４０２の内部に挿通配置された揚送スクリュー４０３とを具備しており、揚送路ケース４０２は、上下端が開口する筒状に形成され、揚送スクリュー４０３の軸部４０３ｂの上端は回動自在に支持されており、揚送スクリュー４０３の螺旋状凸部の外周４０３ａが揚送されるパチンコ球と摺接し、揚送スクリュー４０３の回転に伴ってパチンコ球が揚送路ケース４０２の内部を下端の開口から上端の開口へと揚送され
（１−ｉ）段落【００１９】の記載から、
発射装置５００は、遊技盤２０６の左側上部位置に、前面扉枠２００に対して着脱可能に設けられ
（１−ｊ）段落【０１３５】の記載から、
操作ノブ２０５は、発射装置５００による発射球の発射勢いを、操作量に応じた速度に制御する
（１−ｋ）段落【０１３３】、【０１３５】の記載から、 
操作ノブ２０５の操作による発射装置５００の発射に連動して、揚送装置４００が間欠的にパチンコ球を揚送して、発射装置５００に揚送球を供給する
　上記（１−ａ）〜（１−ｄ）の記載事項及び（１−ｅ）〜（１−ｋ）の認定事項を総合すると、刊行物１には、次の発明が記載されていると認められる（以下「刊行物１発明」という。当審においてａ〜ｅに分説した。）。
「ａ　基枠２０１と、基枠２０１に開閉自在に枢支される前面扉枠２００と、当該前面扉枠２００に着脱可能に取り付けられる遊技盤２０６と、前面扉枠２００の前面側に開閉自在に枢支されるガラス扉枠２０２とを備えるパチンコ機２において、
ｂ　前記前面扉枠２００に対して発射装置５００と揚送ユニット４００とが着脱可能に設けられており、
ｃ　当該揚送ユニット４００は、
ｃ１　前記前面扉枠２００の前面に取り付けられる揚送路ケース４０２と、
ｃ２　揚送路ケース４０２の内部に挿通配置された揚送スクリュー４０３とを具備しており、
　揚送路ケース４０２は、上下端が開口する筒状に形成され、
　揚送スクリュー４０３の軸部４０３ｂの上端は回動自在に支持されており、揚送スクリュー４０３の螺旋状凸部の外周４０３ａが揚送されるパチンコ球と摺接し、揚送スクリュー４０３の回転に伴ってパチンコ球が揚送路ケース４０２の内部を下端の開口から上端の開口へと揚送され、
ｄ１　遊技盤２０６の左側上部位置に、前面扉枠２００に対して着脱可能に設けられた発射装置５００と、
ｄ２　発射装置５００による発射球の発射勢いを、操作量に応じた速度に制御する操作ノブ２０５とを有し、
ｅ　操作ノブ２０５の操作による発射装置５００の発射に連動して、揚送装置４００が間欠的にパチンコ球を揚送して、発射装置５００に揚送球を供給するパチンコ機２。」
（２）対比
　本願補正発明と刊行物１発明とを対比する。
（ａ）刊行物１発明の「基枠２０１」、「前面扉枠２００」、「ガラス扉枠２０２」、「パチンコ機２」は、それぞれ、本願補正発明の「外枠」、「中枠」、「前扉」、「遊技機」に相当する。
　また、刊行物１発明において「基枠２０１に開閉自在に枢支される」とは、前後方向に回転可能に支持されることを意味することは明らかである。
　そして、刊行物１発明の「ガラス扉枠２０２」は、「前面扉枠２００」に開閉自在に枢支されることは明らかである（図３参照）。
　よって、刊行物１発明の「基枠２０１と、基枠２０１に開閉自在に枢支される前面扉枠２００と、当該前面扉枠２００に着脱可能に取り付けられる遊技盤２０６と、前面扉枠２００の前面側に開閉自在に枢支されるガラス扉枠２０２とを備えるパチンコ機２」と、本願補正発明の「外枠と、当該外枠に前後方向に回動可能に支持される中枠と、当該中枠に組み付けられる遊技盤と、前記外枠に前記遊技盤をその前側から覆うように前後方向に回動可能に支持される前扉とを備える遊技機」とは、「外枠と、当該外枠に前後方向に回動可能に支持される中枠と、当該中枠に組み付けられる遊技盤と、前記遊技盤をその前側から覆うように前後方向に回動可能に支持される前扉とを備える遊技機」である点で共通する。
（ｂ）刊行物１発明の「発射装置５００」、「揚送ユニット４００」は、それぞれ、本願補正発明の「球発射装置本体」、「揚送装置」に相当する。
　そして、刊行物１発明の「発射装置５００」と「揚送ユニット４００」をまとめたものが、本願補正発明の「球発射装置」に相当する。
　よって、刊行物１発明の「前面扉枠２００に対して発射装置５００と揚送ユニット４００とが着脱可能に設けられ」る点と、本願補正発明の「中枠に球発射装置と共に設けられる揚送装置を備え」る点とは、「中枠に球発射装置の発射装置本体と共に設けられる揚送装置を備え」る点で共通する。
（ｃ）刊行物１発明の「揚送路ケース４０２」は、本願補正発明の「長手状通路部材」に相当する。そして、刊行物１発明の「揚送路ケース４０２」は、前面扉枠２００の前面に取り付けられるものである。
　よって、刊行物１発明の「前面扉枠２００の前面に取り付けられる揚送路ケース４０２」と、本願補正発明の「中枠の裏側に設けられる長手状通路部材」とは、「中枠に設けられる長手状通路部材」である点で共通する。
　刊行物１発明の「揚送スクリュー４０３」、「軸部４０３ｂ」、「螺旋条凸部の外周４０３ａ」は、それぞれ、本願補正発明の「揚送部材」、「回転軸」、「螺旋体」に相当する。
　よって、刊行物１発明の「揚送路ケース４０２の内部に挿通配置された揚送スクリュー４０３」及び「揚送路ケース４０２は、上下端が開口する筒状に形成され、揚送スクリュー４０３の軸部４０３ｂの上端は回動自在に支持されており、揚送スクリュー４０３の螺旋状凸部の外周４０３ａが揚送されるパチンコ球と摺接し、揚送スクリュー４０３の回転に伴ってパチンコ球が揚送路ケース４０２の内部を下端の開口から上端の開口へと揚送され」る点は、本願補正発明の「長手状通路部材の内部にその軸方向に沿い収容されて長手状通路部材の下端開口部に供給される遊技球を揚送して長手状通路部材の上端開口部から排出する揚送部材であって、長手状通路部材内にてその通路方向に沿い支持される回転軸と、この回転軸の下端部から上端部にかけて当該回転軸の外周面から螺旋状に突出するように形成されて回転軸の回転に伴い長手状通路部材の下端開口部に供給される遊技球を当該長手状通路部材の上端開口部側へ揚送する螺旋体とを有する揚送部材」に相当する。
　刊行物１発明の「遊技盤２０６の左側上部位置に、前面扉枠２００に対して着脱可能に設けられた発射装置５００」は、本願補正発明の「球発射装置」が有する「遊技盤の上側にて中枠の上部に設けられる球発射装置本体」に相当する。
（ｄ）刊行物１発明の「操作ノブ２０５」は、本願補正発明の「球発射装置」が有する「操作ハンドル」に相当する。そして、刊行物１発明においては、「操作ノブ２０５」が設けられる部材について特定されていない。
　よって、刊行物１発明の「発射装置５００による発射球の発射勢いを、操作量に応じた速度に制御する操作ノブ２０５」と、本願補正発明の「球発射装置本体から遊技球を発射させるにあたり操作されるように中枠の下部に設けられる操作ハンドル」とは、「球発射装置本体から遊技球を発射させるにあたり操作されるように設けられる操作ハンドル」である点で共通する。
（ｅ）刊行物１発明において、「揚送ユニット４００」がパチンコ球を揚送すると、パチンコ球は揚送路ケースの上端開口から排出されることは明らかである。
　よって、刊行物１発明の「操作ノブ２０５の操作による発射装置５００の発射に連動して、揚送装置４００が間欠的にパチンコ球を揚送して、発射装置５００に揚送球を供給する」点は、本願補正発明の「揚送装置の長手状通路部材の上端開口部から排出される遊技球を遊技盤の盤面に設けた遊技領域に向けて操作ハンドルの操作に伴い発射する」点に相当する。
（ｆ）したがって、本願補正発明と刊行物１発明とは、
「Ａ’外枠と、当該外枠に前後方向に回動可能に支持される中枠と、当該中枠に組み付けられる遊技盤と、前記遊技盤をその前側から覆うように前後方向に回動可能に支持される前扉とを備える遊技機において、
Ｂ’　前記中枠に球発射装置の発射装置本体と共に設けられる揚送装置を備えており、
Ｃ　当該揚送装置は、
Ｃ１’　前記中枠に設けられる長手状通路部材と、
Ｃ２　当該長手状通路部材の内部にその軸方向に沿い収容されて前記長手状通路部材の下端開口部に供給される遊技球を揚送して前記長手状通路部材の上端開口部から排出する揚送部材であって、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを有する揚送部材とを具備しており、
Ｄ　球発射装置は、
Ｄ１　前記遊技盤の上側にて前記中枠の上部に設けられる球発射装置本体と、
Ｄ２’　当該球発射装置本体から遊技球を発射させるにあたり操作されるように設けられる操作ハンドルとを有して、
Ｅ　前記揚送装置の前記長手状通路部材の前記上端開口部から排出される遊技球を前記遊技盤の盤面に設けた遊技領域に向けて前記操作ハンドルの操作に伴い発射する遊技機。」
である点で一致し、以下の点で相違する。
［相違点１］
　「前扉」に関して、本願補正発明は、「外枠に」「支持される」のに対し、刊行物１発明は、そのように特定されていない点。
［相違点２］
　「長手状通路部材」に関して、本願補正発明は、「中枠の裏側」に設けられるのに対して、刊行物１発明は、前面扉枠２００の前面に取り付けられる点。
［相違点３］
　「球発射装置」に関して、本願補正発明は、「中枠の下部に設けられる操作ハンドル」を有するとともに、「中枠に」「揚送装置」と共に設けられるのに対し、刊行物１発明は、そのように特定されていない点。
［相違点４］
　本願補正発明は、揚送装置は、螺旋体の遊技球導入部における遊技球の揚送速度を抑制するように構成されているのに対し、刊行物１発明は、そのように構成されていない点。
［相違点５］
　本願補正発明は、「封入式遊技機」であるのに対し、刊行物１発明は「パチンコ機２」である点。
（３）判断
ア　上記相違点１について検討する。
　遊技機の技術分野において、前扉が外枠に回動可能に支持されるような遊技機の構造は、本願出願前において周知技術である（例えば、特開２００８−８６４８５号公報の段落【００２２】の外枠９１に設けられた枢支部９４により、ガラス枠９３を開閉可能に枢支する点、特開２００５−１６８６０３号公報の段落【０００２】の表枠１２は外枠１０に対して正面視左側で軸支されている点を参照のこと。以下、「周知技術Ａ」という。）。
　そして、前扉を中枠に支持されるようにするか、外枠に支持されるようにするかは、設計的事項に過ぎないともいえる。
　よって、刊行物１発明に周知技術Ａを適用し、上記相違点１に係る本願補正発明の構成とすることは、当業者であれば容易になし得たことである。
イ　上記相違点２について検討する。
　遊技機の技術分野において、揚送装置を中枠の裏側に設けることは、本願出願前において周知技術である（例えば、特開２０１３−３４６７６号公報の段落【００９８】、図４の本体枠１０１の背面側に揚送ユニット５１を設けた点、特開２０１４−３３９４５号公報の段落【００２７】、図３の遊技機枠２の後面側に揚送装置２９が取付けられた点を参照のこと。以下「周知技術Ｂ」という。）。
　刊行物１発明と周知技術Ｂとは、中枠に設けた揚送装置を有する遊技機である点で共通するものであり、遊技機における揚送装置の配置は当業者が適宜設定できるものである。
　よって、周知技術Ｂを勘案すれば、刊行物１発明において、揚送装置（揚送ユニット４００）を構成する長手状通路部材（揚送路ケース４０２）を中枠（前面扉枠２００）の裏側に設け、上記相違点２に係る本願補正発明の構成とすることは、当業者であれば容易になし得たことである。
ウ　上記相違点３について検討する。
　遊技機の技術分野において、操作ハンドルを中枠の下部に設ける点は、本願出願前において周知技術である（例えば、特開２００９−１６０２２３号公報の段落【００２０】、図１の遊技ハンドルを本体枠９２の下部に設けた点、特開２０１３−３４６７６号公報の段落【００１８】、図４、６の本体枠１０１の下部に打球操作ハンドル５を設けた点を参照のこと。以下、「周知技術Ｃ」という。）。
　そして、刊行物１発明と周知技術Ｃとは、操作ハンドルと中枠とを有する遊技機という点で共通するものであり、刊行物１発明においてハンドルを中枠に設けることを妨げる特段の事情はない。
　また、刊行物１発明においては、球発射装置本体と共に揚送装置を中枠に設けたものであるから、周知技術Ｃを適用し操作ハンドルを中枠に設ければ、球発射装置本体と操作ハンドルとから構成される球発射装置は揚送装置と共に中枠に設けた構成となることは明らかである。
　よって、刊行物１発明において、周知技術Ｃを適用し、球発射装置が中枠の下部に設けられる操作ハンドルを有するように構成するとともに、球発射装置と共に揚送装置を中枠に設けて、上記相違点３に係る本願補正発明の構成とすることは、当業者が容易になし得たことである。
エ　上記相違点４について検討する。
　遊技機の技術分野において、螺旋体の遊技球導入部における遊技球の揚送速度を抑制するように構成された揚送装置は、本願出願前において、周知の技術である（例えば、特開２０１１−３０９６８号公報の段落【０００６】の球揚送装置の回転体の両端部における螺旋山部のピッチを中間ぶより小さく形成して、両端部における球揚送速度を中間部よりも小さくした点、特開２００２−１４３５３３号公報の段落【００２２】の搬送装置１の回転螺旋体の下端部から揚送方向に進むに従ってリード角（溝長）が大きくなるように形成した点を参照のこと。以下、「周知技術Ｄ」という。）。
　そして、刊行物１発明と周知技術Ｄとは、螺旋状の回転体により遊技球を揚送する揚送装置を有する遊技機という点で共通しており、そして、刊行物１発明において、揚送装置への球の受入れを円滑に行うことは自明の課題といえるものである。
　よって、刊行物１発明に、上記周知技術Ｄを適用し、上記相違点４に係る本願補正発明の構成とすることは、当業者であれば容易になし得たことである。
オ　上記相違点５について検討する。
　刊行物１発明は、封入式遊技機とは明示されていないが、上記周知技術Ｂ、Ｃとして示した特開２０１３−３４６７６号公報には、刊行物１発明と同様の揚送ユニット５１と打球発射装置５０を有する遊技機に関して、封入式遊技機にも適用可能であると記載されている（段落【０１５９】参照）。　　よって、刊行物１発明のパチンコ機を封入式遊技機とすることは、当業者が適宜なし得ることに過ぎない。
カ　本願補正発明が奏する効果について
　上記相違点１〜５によって本願補正発明が奏する効果は、当業者が刊行物１発明及び周知技術Ａ〜Ｄから予測し得る程度のものであって、格別のものではない。　
キ　請求人の主張について
　請求人は、審判請求書において、「本願発明１は、ホール側の設備費用の抑制のために、封入式遊技機を適用対象とし、かつ、揚送装置を、発射装置本体及び操作ハンドルと共に中枠に設けたまとめた構成、換言すれば、揚送装置、発射装置本体、操作ハンドル及び中枠をまとめた構成とするものであり、このような本願発明１の技術的思想は、引用例２、５〜７のいずれにも何ら記載も示唆もなされておらず、引用例２に引用例５〜７のいずれかを寄せ集めても、当業者によって容易には想到し得ない」旨主張する（第１９頁第５〜１３行）。
　しかしながら、ホール側の設備費用の抑制という点は、本願の明細書には記載されておらず、同明細書の記載から自明な事項でもない。
　そして、揚送装置を、球発射装置本体と操作ハンドルとから構成される球発射装置と共に中枠に設けた構成とすることは、上記相違点３で検討したとおり、刊行物１発明に周知技術Ｃを適用することにより、当業者が容易になし得たことであるから、揚送装置を発射装置本体及び操作ハンドルとともに中枠にまとめて設けた構成とすることも当業者が容易になし得たことであるといえる。
　よって、上記請求人の主張は採用できない。
　
（４）まとめ
　以上のように、本願補正発明は、当業者が刊行物１発明及び周知の技術Ａ〜Ｄに基づいて容易に発明をすることができたものであるから、特許法第２９条第２項の規定により、特許出願の際独立して特許を受けることができない。
（５）付言
　上記のとおり、刊行物１発明を主引例として、本願補正発明が特許出願の際独立して特許を受けることができるものであるかどうかについて検討したが、周知技術Ｂ及び周知技術Ｃとして示した特開２０１３−３４６７６号公報を主引例とした場合にも、同様に本願補正発明は特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１〜４に係る発明は、平成２７年７月１５日付け手続補正書により補正された特許請求の範囲の請求項１〜４に記載されたとおりのものであるところ、請求項１に係る発明（以下「本願発明」という。）は次のとおりである。
「【請求項１】
Ａ　外枠と、当該外枠に前後方向に回動可能に支持される中枠と、当該中枠に組み付けられる遊技盤と、前記外枠に前記遊技盤をその前側から覆うように前後方向に回動可能に支持される前扉とを備える遊技機において、
Ｃ　前記中枠の裏側に設けられる長手状通路部材及び当該長手状通路部材の内部にその軸方向に沿い収容されて前記長手状通路部材の下端開口部に供給される遊技球を揚送して前記長手状通路部材の上端開口部から排出する揚送部材からなる揚送装置と、
Ｄ　前記遊技盤の上側にて前記中枠の上部に設けられる球発射装置本体と当該球発射装置本体から遊技球を発射させるにあたり操作されるように前記中枠の下部に設けられる操作ハンドルとを有して、前記揚送装置の前記長手状通路部材の前記上端開口部から排出される遊技球を前記遊技盤の盤面に設けた遊技領域に向けて前記操作ハンドルの操作に伴い発射する球発射装置とを備えて、
Ｅ　前記揚送装置の前記揚送部材は、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを具備しており、
Ｆ　前記揚送装置は、前記螺旋体の遊技球導入部における遊技球の前記揚送速度を抑制するように構成されていることを特徴とする遊技機。」
２　刊行物  
　刊行物１及びその記載事項、並びに刊行物１発明は、上記「第２　３（１）」に記載したとおりである。  
  
３　対比・判断  
　本願発明は、上記「第２」で検討した本願補正発明から「揚送装置」に関して、「前記中枠に球発射装置と共に設けられる揚送装置を備えており」という点、及び「遊技機」に関して、「封入式」の点を省くとともに、揚送装置に関して「当該揚送装置は、」「とを具備しており、」から「からなる揚送装置と」とし、「球発射装置」に関して「前記球発射装置は、」「するようになっており、」から「する球発射装置」とするものである。
　本願発明と刊行物１発明とを対比する。
　上記「第２　３（２）」における検討を踏まえると、本願発明と刊行物１発明とは、
「Ａ’　外枠と、当該外枠に前後方向に回動可能に支持される中枠と、当該中枠に組み付けられる遊技盤と、前記遊技盤をその前側から覆うように前後方向に回動可能に支持される前扉とを備える遊技機において、
Ｃ’　前記中枠に設けられる長手状通路部材及び当該長手状通路部材の内部にその軸方向に沿い収容されて前記長手状通路部材の下端開口部に供給される遊技球を揚送して前記長手状通路部材の上端開口部から排出する揚送部材からなる揚送装置と、
Ｄ’　前記遊技盤の上側にて前記中枠の上部に設けられる球発射装置本体と当該球発射装置本体から遊技球を発射させるにあたり操作されるように設けられる操作ハンドルとを有して、前記揚送装置の前記長手状通路部材の前記上端開口部から排出される遊技球を前記遊技盤の盤面に設けた遊技領域に向けて前記操作ハンドルの操作に伴い発射する球発射装置とを備えて、
Ｅ　前記揚送装置の前記揚送部材は、前記長手状通路部材内にてその通路方向に沿い支持される回転軸と、この回転軸の下端部から上端部にかけて当該回転軸の外周面から螺旋状に突出するように形成されて前記回転軸の回転に伴い前記長手状通路部材の前記下端開口部に供給される遊技球を当該長手状通路部材の前記上端開口部側へ揚送する螺旋体とを具備している遊技機。」
である点で一致し、
　上記「第２　３（２）」で検討した相違点１、２、４に加えて以下の点で相違する。
［相違点３’］
　「球発射装置」に関して、本願補正発明は、「中枠の下部に設けられる操作ハンドル」を有するのに対し、刊行物１発明は、そのように特定されていない点。
　上記相違点１、２、４については、上記「第２　３（３）」で検討したとおりであり、相違点３’は相違点３の一部にすぎないから、当業者が容易になし得たものであることは明らかである。
　よって、本願発明は、刊行物１発明及び周知技術Ａ〜Ｄから当業者が容易になし得たものである。
４　むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。